(57)【特許請求の範囲】
【請求項１】
吊り部材を介して躯体天井部に支持される複数のチャンネル状野縁受けと、上方に開口する両側面部の上端が内方に折曲された逆Ｕ字状溝を有する複数のチャンネル状野縁とを、１組の野縁取付金具を介して取り付けする天井下地において、
前記野縁取付金具は、野縁受けの側面に面当てされる野縁受け取付け部と、該野縁受け取付け部の上方に延出されて野縁受けの上面側に立上り形成されるボルト固定用の立上り片と、下方に延出形成される垂下部に、前記逆Ｕ字状溝内に挿入して野縁を支持受けするよう上方に折曲形成された野縁支持受け部とを一体に備え、前記立上り片同士を対面当接させて締結ボルトによりボルト止め固定することで野縁を吊持するよう構成されると共に、
前記組となる野縁取付金具は、その一方の立上り片に形成されたナット部に前記締結ボルトが螺入されたナット側取付金具と、該ナット側取付金具に組付けセットされるセット側取付金具とからなり、
前記セット側取付金具の立上り片は、前記締結ボルトに挿入されるよう切欠き形成されたボルト挿通溝と、前記一方の立上り片に係止されるよう折曲形成された係止片とを備え、
前記セット側取付金具を、前記締結ボルトが螺入されたナット側取付金具に対して、当該締結ボルトに前記ボルト挿通溝をその開口から挿入案内させて立上り片同士が対向離間したセット状態で、締結ボルトの締め付け操作により、前記係止片を立上り片に係止させて立上り片同士を当接固定して組付けすべく構成せしめたことを特徴とする野縁取付金具。
【請求項２】
請求項１において、前記係止片は、前記立上り片同士を対向離間して配置させた際に、ナット側取付金具の立上り片の上端に係合する長さを有し、当該立上り片の上端部に対して、載置状に係合させた状態で仮組付けセット可能に構成されていることを特徴とする野縁取付金具。
【請求項３】
請求項１または２において、前記係止片は、前記立上り片の上端側を野縁受け上面側に向けて折曲して形成すると共に、前記ボルト挿通溝は、立上り片と係止片に連通してＵ字状に切欠き形成されていることを特徴とする野縁取付金具。
【請求項４】
請求項１または２において、前記係止片は、前記立上り片を延出せしめ、その両側をそれぞれ野縁受け上面側に向けて折曲して形成すると共に、前記ボルト挿通溝は、該立上り片に対してＵ字状に切欠き形成されていることを特徴とする野縁取付金具。
【請求項５】
請求項１乃至４の何れかにおいて、前記立上り片同士は、野縁受けに対向離間させた状態でセットされ、前記締結ボルトの締め付け操作で、前記係止片をナット側取付金具の立上り片の上端に摺接させながら、互いに対面当接するよう構成されていることを特徴とする野縁取付金具。
【請求項６】
請求項１乃至５の何れかにおいて、前記野縁受け取付け部は、前記立上り片から前記垂下部側に向けて逆台形状に形成すると共に、その両側を折曲せしめて補強片を形成してあることを特徴とする野縁取付金具。
【発明の詳細な説明】
【技術分野】
【０００１】
本発明は、天井下地において、野縁受けを両側から組みとして挟持することで、野縁を取り付けする野縁取付金具に関する。
【背景技術】
【０００２】
一般に、在来天井は、吊り部材（吊りボルト、吊りワイヤ等）を介して躯体天井部に支持される複数のコ字状の野縁受け（チャンネル材）と、上方に開口する両側面部の上端内方に逆Ｕ字状溝を有し、一組の野縁取付金具を介して野縁受けに取り付けされる複数のチャンネル状の野縁と、野縁にビス止めされる天井パネルとから構成される。
【０００３】
従来の天井下地に用いられる野縁取付金具は、指圧変形不能な板厚が約１．６ｍｍの厚板材でプレス成型され、野縁受けに取り付けられるネジ固定用の立上り片を有する逆Ｌ字状の野縁受け取付け部と、その垂下部から野縁受けの外方に向けてＬ字状に折曲された両端部を、野縁の逆Ｕ字状溝内に挿入されるよう立上り折曲させて凹状に形成された野縁支持受け部とにより一体形成され、逆Ｕ字状溝内に挿入した野縁支持受け部の両側上端面で野縁を支持受けするように構成されたものを１組のセット金具として、野縁受けに両側から挟み込ませて対面する立上り片同士をボルト止め等により固定して野縁を吊持する構造となっており、野縁支持受け部も野縁受けの両側２カ所で背反させて配設し、野縁を支持受けして吊持するため所定のジョイント強度や耐震強度が得られる（特許文献１、図６、登録意匠文献１、使用状態参考図参照）。
【０００４】
しかしながら、特許文献１および登録意匠文献１に開示された何れのものも、組となる野縁取付金具のうち、一方を締結ボルトが螺入されるナットを溶着（タップ孔加工を含む）してナット部を形成したものをナット側とし、他方の立上り片にボルト挿通孔を形成したものをセット側として、それぞれ別部材のものとして製作しておき、両者を互いにボルト止めにより組付けしたセット状態で出荷されているため、現場での取付け作業時には、締結ボルトを一旦取り外して立上り片同士を手で挟んで当接させた状態で、取り外した締結ボルトを用いて再度ボルト挿通孔を介して締め付け操作する作業が強いられ、その際、作業時間を短縮するため一度に複数のものを組み外すなどするため、締結ボルトを落としてしまったり、誤ってナット側同士を組み付けてしまうなど不具合を誘発するなども加わって、一個所への取付け作業時間を要し、作業性が煩雑となり、天井全体における施工時間が増大し、作業効率に劣るという欠点を有していた。
【０００５】
また、従来の立上り片同士は、両者を野縁受けにセットした状態で、その傾斜面部を野縁受けの角部に押圧させながら、対面当接するよう製作されていたため、野縁受けの側面片に野縁支持受け部をビス固定した側は、締結ボルトとの２点により支持固定されるが、野縁受けの開口側に配設されたものは締結ボルトによる１点による支持固定となる。このため、震等により揺れを受けた際、野縁受けの開口側に配設されたものは、締結ボルトを中心に回動方向への力が加わり、振り子状の傾動やねじれなどを伴って、傾斜面部が野縁受けの開口側上面端縁（角部）に対して変形を生じてしまうような集中負荷が加わり、締結ボルトの緩みなどを招来し、野縁と野縁受けとの間にガタツキが発生して、両者間に位置ズレが生じてしまうなど、野縁受けの開口側に配設されたものは、野縁受けの側面にビス固定され配設されたものに比し耐震強度性能が劣るという問題がある。
【先行技術文献】
【特許文献】
【０００６】
【特許文献１】実登３０１９９８８号公報
【非特許文献】
【０００７】
【非特許文献１】意登１４６０１８３号公報
【発明の開示】
【発明が解決しようとする課題】
【０００８】
本発明は、上記の如き問題点を一掃すべく創案されたものであって、天井下地における野縁受けに、その両側から一組の野縁取付金具を挟み込んで野縁を吊持するものでありながら、組みとなる一方の立上り片に締結ボルトが螺入されたナット側取付金具と、他方の立上り片にボルト挿通溝と係止片とが形成されたセット側取付金具とが、互いの立上り片同士をボルト止めにより組付けられたセット状態で出荷されたものであっても、現場での取付け作業時に一々締結ボルトを取り外すことなく両者の組み外しが行えるだけでなく、野縁受けにセットされたナット側取付金具に対して、セット側取付金具を野縁内から締結ボルトに向けて持ち上げ操作するだけで、係止片の下面域先端を立上り片の上端に片掛載置状に係合させて、容易に両者の仮組付けセットが行えるようにして、大幅な作業時間の短縮と、作業効率の向上を図ることができ、しかも、地震等の揺れにより上下方向に振動を受けた際に、ナット側とセット側の何れのものを野縁受けの開口側に配設させても、係止片が、ナット側取付金具の立上り片の上端部に対して傾動規制する組付け補強片として機能し、組付け剛性強度が高められ、従来の野縁受け上面の開口側端縁（角部）に対して加わっていた集中負荷を分担して受け止め支持することができ、変形やガタツキを防止してその耐震強度性能を向上することができる野縁取付金具を提供することを目的とする。
【課題を解決するための手段】
【０００９】
上記課題を解決するために本発明の野縁取付金具は、吊り部材を介して躯体天井部に支持される複数のチャンネル状野縁受けと、上方に開口する両側面部の上端が内方に折曲された逆Ｕ字状溝を有する複数のチャンネル状野縁とを、１組の野縁取付金具を介して取り付けする天井下地において、前記野縁取付金具は、野縁受けの側面に面当てされる野縁受け取付け部と、該野縁受け取付け部の上方に延出されて野縁受けの上面側に立上り形成されるボルト固定用の立上り片と、下方に延出形成される垂下部に、前記逆Ｕ字状溝内に挿入して野縁を支持受けするよう上方に折曲形成された野縁支持受け部とを一体に備え、前記立上り片同士を対面当接させて締結ボルトによりボルト止め固定することで野縁を吊持するよう構成されると共に、前記組となる野縁取付金具は、その一方の立上り片に形成されたナット部に前記締結ボルトが螺入されたナット側取付金具と、該ナット側取付金具に組付けセットされるセット側取付金具とからなり、前記セット側取付金具の立上り片は、前記締結ボルトに挿入されるよう切欠き形成されたボルト挿通溝と、前記一方の立上り片に係止されるよう折曲形成された係止片とを備え、前記セット側取付金具を、前記締結ボルトが螺入されたナット側取付金具に対して、当該締結ボルトに前記ボルト挿通溝をその開口から挿入案内させて立上り片同士が対向離間したセット状態で、締結ボルトの締め付け操作により、前記係止片を立上り片に係止させて立上り片同士を当接固定して組付けすべく構成せしめたことを特徴とするものである。
【発明の効果】
【００１０】
本発明は、上記のように構成したことにより、天井下地における野縁受けに、その両側から一組の野縁取付金具を挟み込んで野縁を吊持するものでありながら、組みとなる一方の立上り片に締結ボルトが螺入されたナット側取付金具と、他方の立上り片にＵ字状のボルト挿通溝とその上端部に折曲された係止片とが形成されたセット側取付金具とが、互いの立上り片同士をボルト止めにより組付けられたセット状態で出荷されたものであっても、現場での取付け作業時に一々締結ボルトを取り外すことなく両者の組み外しが行えるだけでなく、野縁受けにセットされたナット側取付金具に対して、セット側取付金具を野縁内から締結ボルトに向けて持ち上げ操作してボルト止め操作するだけで、組付けによる取付作業を完了することができる。しかも、立上り片同士が対向離間した状態で、係止片の下面域先端を立上り片の上端に片掛載置状に係合させることが可能となり、この状態で手を離しても野縁が落下することなく仮組付けセットが容易に行えるようになり、大幅な作業時間の短縮と、作業効率の向上を図ることができる。さらに、地震等の揺れにより上下方向に振動を受けた際に、ナット側とセット側の何れのものを野縁受けの開口側に配設させても、係止片が、ナット側取付金具の立上り片の上端部に対して傾動規制する組付け補強片として機能し、組付け剛性強度が高められ、従来の野縁受けの開口側上面端縁（角部）に対して、締結ボルトを中心に回動方向への力が加わっていた集中負荷を分担して受け止め支持することができ、湾曲変形やガタツキを防止してその耐震強度性能を向上することができる。
【図面の簡単な説明】
【００１１】
【図１】本発明の実施形態に係る天井部を示し、（Ａ）はその要部断面図、（Ｂ）はＡ矢視図である。
【図２】本発明の実施形態に係るナット側の野縁取付金具であって、（Ａ）は正面図、（Ｂ）は側面図である。
【図３】本発明の実施形態に係るセット側の野縁取付金具であって、（Ａ）は正面図、（Ｂ）は背面図、（Ｃ）は側面図、（Ｄ）は平面図、（Ｅ）は底面図である。
【図４】本発明の他の実施形態に係るセット側の野縁取付金具であって、（Ａ）は正面図、（Ｂ）は背面図、（Ｃ）は側面図、（Ｄ）は平面図、（Ｅ）は底面図である。
【図５】図３に示す野縁取付金具を用いて天井下地へ取付けした状態を示す正面図である。
【図６】図５における野縁取付金具の天井下地への取付け状態を示す側面図である。
【図７】図４に示す野縁取付金具を用いて天井下地へ取付けした状態を示す正面図である。
【図８】図７における野縁取付金具の天井下地への取付け状態を示す側面図である。
【発明を実施するための最良の形態】
【００１２】
以下、本発明の実施の形態を好適な実施の形態として例示する野縁取付金具を図面に基づいて詳細に説明する。
図１の（Ａ）は、本発明の実施形態に係る天井部の要部断面図、（Ｂ）は、Ａ矢視図である。これらの図に示すように、天井部１は、吊り部材２を介して躯体天井部３に支持される複数の野縁受け４と、野縁受け４の端部を支持する野縁受け固定金具４１と、１組の野縁取付金具５を介して野縁受け４に支持される複数の野縁７と、野縁７にビス止めされる天井パネル８とを備える。
【００１３】
吊り部材２は、例えば、躯体天井部３から垂下する吊りボルト２１と、吊りボルト２１の下端部に上下位置調整可能に連結される側面視略し字状に形成された野縁受けハンガー２２とから構成され、野縁受け４は、野縁受けハンガー２２によって支持されると共に、吊りボルト２１に対する野縁受けハンガー２２の位置変更によって、上下位置が調整される。
野縁受け４は、側方が開口する断面コ字状のチャンネル材からなり、躯体天井部３に所定の間隔を存して並列状に割り付けされる。このとき、野縁受け４は、図示しない躯体壁部に当接しない短めの長さに予め加工され、その両端部が野縁受け固定金具４１を介して躯体壁部に固定される。
【００１４】
野縁７は、上方に開口した両側部の上端を内方に折曲させて逆Ｕ字状溝７１を形成されたチャンネルからなり、野縁受け４と直交するように、天井部１に所定の間隔を存して並列状に割り付けされる。野縁７としては、幅寸法が異なるダブル野縁やシングル野縁があり、それぞれに適合した形状の野縁取付金具５を介して野縁受け４で支持される。そして、天井部１に割り付けられた野縁７間に天井パネル８を渡し、これをビス止めすることにより、天井部１が構成される。
【００１５】
次に、本発明の実施態様に係る野縁取付金具について、図２〜図５を参照して説明する。図２の（Ａ）は、ナット側の野縁取付金具の正面図、（Ｂ）はその側面図、図３の（Ａ）は、セット側の野縁取付金具の正面図、（Ｂ）は背面図、（Ｃ）は側面図、（Ｄ）は平面図、（Ｅ）は底面図、図４の（Ａ）は、他の実施形態に係るセット側の野縁取付金具の正面図、（Ｂ）は背面図、（Ｃ）は側面図、（Ｄ）は平面図、（Ｅ）は底面図である。
【００１６】
これらの図に示すように、野縁取付金具５は、ナット側取付金具５ａとセット側取付金具５ｂとを組みとして用いられ、それぞれ板厚が１．６ｍｍの厚板材を用い、野縁受け４の側面に面当てされる野縁受け取付け部５１と、この野縁受け取付け部５１の上方に、側面視く字状に延出折曲された傾斜面部５１ａを介して、野縁受け４の上面側に立上り形成されるボルト固定用の立上り片５２と、下方に延出形成される垂下部５１ｂに、逆Ｕ字状溝７１内に挿入して野縁７を支持受けするよう上方に折曲形成された野縁支持受け部５３とを備えて、全体をプレス成型により一体に形成される。
【００１７】
野縁受け取付け部５１は、立上り片５２から垂下部５１ｂ側に向けて逆台形状に形成されており、その両側を折曲形成せしめた補強片５１ｃを有し、略中央に野縁受け４にドリルビスにより固定するためのビス孔５１ｄが穿設されている。
また、野縁支持受け部５３は、野縁受け４に背反するようＬ字状に折曲され、かつ、野縁７の逆Ｕ字状溝７１内に挿入される両端部をそれぞれの外方に傾斜せしめて逆ハ字状に折曲せしめた野縁係止片５３ａが形成されており、野縁係止片５３ａを逆Ｕ字状溝７１内に挿入して野縁７を支持受けした際に、その上端となる板厚内側角部を線当接させて、野縁７の自重や天井パネル８の自重で長手方向への滑り止めが成されるべく構成され、現場での取付け作業時に締結ボルト６１を取り外すことなく、その緊締操作で両者の組み外しと組付け作業が行えるようになっている。
【００１８】
ナット側取付金具５ａの立上り片５２には、バーリングによるタップ穴加工されたナット部６が設けられており、ナット部６には締結ボルト６１が螺入されている。セット側取付金具５ｂの立上り片５２には、Ｕ字状に切欠き形成されたボルト挿通溝５２１と、この立上り片５２に逆Ｌ字状に折曲形成せしめてナット側取付金具５ａの立上り片５２の上端部に片掛状に係止される係止片５４とを備える。
係止片５４は、ナット側取付金具５ａにセット側取付金具５ｂを対向配置させた際に、その立上り片５２の上端に係合する長さを有し、図３に示す実施形態では、立上り片５２の上端側を逆Ｌ字状に折曲して形成せしめた係止片５４ａとし、また、図４に示す他の実施形態では、立上り片５２を上方に延出させて、その両側をそれぞれ折曲形成せしめた係止片５４ｂとして構成させている。
【００１９】
この様に構成すると、ナット側取付金具５ａの立上り片５２に対して、その板面に当該係止片５４の先端をスライド当接させながら締結ボルト６１にボルト挿通溝５２１を案内しつつ、その上端部に載置状に係合させて仮組付けセットが可能となる。なお、係止片５４は、上端部だけでなく両側をＬ字状に切欠きして係止するようにしても良く、要は立上り片５２に対して片掛状に係止でき、長さ設定も任意であり、本固定状態で係止されるもので有れば良い。
また、ボルト挿通溝５２１は、係止片５４ａの実施形態では、立上り片５２と係止片５４ａに連通してＵ字状に切欠き形成され、係止片５４ｂの実施形態では、延出された面域を含む立上り片５２に対してＵ字状に切欠き形成されている。
【００２０】
次に、本発明の実施態様に係る野縁取付金具５の取付手順について、図５〜図８を参照して説明する。図５は図３に示す係止片５４ａが形成された野縁取付金具５を用いて天井下地へ取付けした状態を示す正面図、図６はその側面図であり、図７は図４に示す係止片５４ｂが形成された野縁取付金具５を用いて天井下地へ取付けした状態を示す正面図、図８はその側面図である。これらの図に示すように、先ず、ナット側取付金具５ａとセット側取付金具５ｂとは、その立上り片５２、５２同士を締結ボルト６１により組付けしたセット状態で出荷され、このセット状態で搬入された両者を、締結ボルト６１の緩め操作で、係止片５４がナット側取付金具５ａの立上り片５２上端への係合を解離させて、締結ボルト６１を野縁受け４のコ字状幅よりもボルト頭部が突出した程度にナット部６に螺入されたままの状態で組み外すと良い。
【００２１】
組み外されたもののうち、ナット側取付金具５ａを、野縁受け４の開口側近傍位置で、野縁支持受け部５３を野縁７の長手方向に向けて野縁７の上側開口から内部に挿入して回転させ、野縁係止片５３ａを逆Ｕ字状溝７１内に遊挿した状態でセットし、野縁受け取付け部５１を野縁受け４の開口側に面当てさせる。次いで、ナット側取付金具５ａを手で保持した状態で、セット側取付金具５ｂを、野縁支持受け部５３を野縁７の上側開口から内部に挿入して回転させ、締結ボルト６１に向けてスライドさせながら持ち上げ操作してボルト挿通溝５２１内に挿入案内し、長めに設定された係止片５４の下面域先端を立上り片５２の上端に片掛載置状に係合させる。この締結ボルト６１の操作で、立上り片５２、５２同士が対向離間する係合状態が維持される程度に指先で軽く締め付け操作することにより、両者の仮組付けセットが行える。
【００２２】
この仮組付けセットした状態では、傾斜面部５１ａが野縁受け４の角部に当接し、立上り片５２同士が対向離間しており、係止片５４の先端が立上り片５２の上端に掛止されているので、たとえボルト挿通溝５２１が上方に開口していても、手を離すことで野縁７が落下することはない。この状態から更に締結ボルト６１を締め付け操作すると、傾斜面部５１ａが野縁受け４の角部に押圧（圧接）されながら上動して対面当接すると共に、野縁受け取付け部５１同士がそれぞれ野縁受け４の両側面（開口側と側面片側）とに面当てされ、その両側からナット側取付金具５ａとセット側取付金具５ｂにより挟み込んで野縁７を吊持する本固定がなされ、側面片側に配置された野縁支持受け部５３をビス孔５１ｄを介してドリルビスによりビス固定する。この本固定状態とすることにより、野縁７が野縁受け４の下面片に確りと押圧密着されると共に、ボルト挿通溝５２１の底部と締結ボルト６１とが密着しその上動が規制され、かつ、係止片５４、５４の下面域の基端側が立上り片５２の上端に密着係止され、セット側取付金具５ｂが回動規制される。
【００２３】
つまり、組みとなる野縁取付金具５は、その傾斜面部５１ａを野縁受けの角部に押圧された状態で、野縁受け４の側面片に野縁支持受け部５３をビス固定した側は、締結ボルト６１との２点により支持固定されるが、野縁受け４の開口側に配設されたものは締結ボルト６１による１点による支持固定となる。このため、震等により揺れを受けた際、野縁受け４の開口側に配設されたものであっても、ボルト挿通溝５２１の底部と締結ボルト６１とが密着しその上動が規制され、係止片５４が、ナット側取付金具５ａの立上り片５２の上端部に対して傾動規制する組付け補強片として機能し、組付け剛性強度が高められ、野縁受け４の開口側上面端縁（角部）に対して、締結ボルト６１を中心に回動方向への力が加わり、振り子状の傾動やねじれなどを伴って、立上り片５２の傾斜面部５１ａにより加わる集中負荷を分担して受け止め支持することができ、開口側上面端縁の押圧変形や湾曲変形が防止されると共に、締結ボルト６１の緩みなどを生じてしまうことも回避され、野縁７と野縁受け４との間にガタツキや、両者間の位置ズレの発生を防止することができ、その耐震強度性能を向上することができる。
【００２４】
叙述の如く構成された本発明の実施の形態において、いま、天井部１の下地に施工において、野縁７を一組の野縁取付金具５（５ａ、５ｂ）を介して野縁受け４に取り付けるのであるが、本発明にかかる野縁取付金具５は、野縁受け４の側面に面当てされる野縁受け取付け部５１と、該野縁受け取付け部５１の上方に延出されて野縁受け４の上面側に立上り形成されるボルト固定用の立上り片５２と、下方に延出形成される垂下部５１ｂに、逆Ｕ字状溝７１内に挿入して野縁７を支持受けするよう上方に折曲形成された野縁支持受け部５３とを一体に備え、立上り片５２、５２同士を対面当接させて締結ボルト６１によりボルト止め固定することで野縁７を吊持するよう構成されている。
【００２５】
この組となる野縁取付金具５は、その一方の立上り片５２に形成されたナット部６に締結ボルト６１が螺入されたナット側取付金具５ａと、該ナット側取付金具５ａに組付けセットされるセット側取付金具５ｂとからなり、セット側取付金具５ｂの立上り片５２は、締結ボルト６１に挿入されるよう切欠き形成されたボルト挿通溝５２１と、一方（ナット側取付金具５ａ）の立上り片５２の上端部に係止されるよう折曲形成された係止片５４（５４ａ、５４ｂ）とを備え、セット側取付金具５ｂを、締結ボルト６１が螺入されたナット側取付金具５ａに対して、野縁７内から締結ボルト６１に向けて持ち上げ操作し、締結ボルト６１にボルト挿通溝５２１をその開口から挿入案内させて立上り片５２、５２同士が対向離間したセット状態で、締結ボルト６１の締め付け操作により、係止片５４（５４ａ、５４ｂ）を立上り片５２に係止させて立上り片５２、５２同士を当接固定して組付けすべく構成されている。
【００２６】
この様に構成すると、天井下地における野縁受け４に、その両側から一組の野縁取付金具５を挟み込んで野縁７を吊持するものでありながら、組みとなる一方の立上り片５２に締結ボルト６１が螺入されたナット側取付金具５ａと、他方の立上り片５２にボルト挿通溝５２１と係止片５４とが形成されたセット側取付金具５ｂとが、互いの立上り片５２、５２同士をボルト止めにより組付けられたセット状態で出荷されたものであっても、現場での取付け作業時に一々締結ボルト６１を取り外すことなく、緩め操作するだけで両者の組み外しが行えるだけでなく、野縁受け４にセットされたナット側取付金具５ａに対して、セット側取付金具５ｂを野縁７内から締結ボルト６１に向けて持ち上げ操作するだけで、ボルト挿通溝５２１内にスライド案内させて、締結ボルト６１を締め付け操作すれば短時間で取付を完了することができる。しかも、立上り片５２、５２同士が対向離間したセット状態で、係止片５４の下面域先端を立上り片５２の上端に片掛載置状に係合させることが可能となり、この状態で手を離しても野縁７が落下することなく両者の仮組付けセットが容易に行えるようになり、締結ボルト６１の落下やナット側同士の誤組み合わせなどの不具合が確実に解消され、部品の取り扱い易さと共に一個所への取付け作業が簡略化されて容易に行うことができるようになり、もって、作業時間の大幅な短縮と、作業効率の向上を図ることができ、ビル工事などにおける天井下地の全体に要する施工工期の大幅な短縮を図ることができる。
【００２７】
さらに、地震等の揺れにより上下方向に振動を受けた際に、ナット側取付金具５ａとセット側取付金具５ｂの何れのものを野縁受け４の開口側に配設させても、係止片５４が、ナット側取付金具５ａの立上り片５２の上端部に対して傾動規制する組付け補強片として機能し、組付け剛性強度が高められ、野縁受け４の開口側上面端縁（角部）に対して、締結ボルト６１を中心に回動方向への力が加わり、振り子状の傾動やねじれなどを伴って、立上り片５２の傾斜面部５１ａにより加わる集中負荷を分担して受け止め支持することができ、開口側上面端縁の押圧変形や湾曲変形が防止されると共に、締結ボルト６１の緩みなどを生じてしまうことも回避され、野縁７と野縁受け４との間にガタツキや、両者間の位置ズレの発生を防止することができ、その耐震強度性能を向上することができる。特に、セット側取付金具５ｂを野縁受け４の非開口側となる側面片側に配置した際には、更に好適な耐震強度性能を得ることができる。
【００２８】
また、係止片５４は、立上り片５２、５２同士を対向離間して配置させた際に、ナット側取付金具５ａの立上り片５２の上端に係合する長さを有し、当該立上り片５２の上端部に対して、載置状に係合させた状態で仮組付けセット可能に構成されているので、この状態で手を離しても野縁７が落下することがなく、両者の仮組付けセットが容易に行えるようになり、取付け作業時に締結ボルト６１の締め付け操作中に、常に両者を手で把持しておく必要が無くなり、さらなる部品の取り扱い手易さと共に一個所への取付け作業が簡略化されて組付けを容易に行うことができる。
【００２９】
また、係止片５４ａは、立上り片５２の上端側を野縁受け４の上面側に向けて折曲して形成すると共に、ボルト挿通溝５２１は、立上り片５２と係止片５４ａ、５４ａに連通してＵ字状に切欠き形成されているので、該係止片５４ａ、５４ａを、ボルト挿通溝５２１の開口域を除くナット側取付金具５ａの立上り片５２の上端全域に被嵌状に係止させることができ、その傾動規制機能を拡散した状態で組付け剛性強度を高めることができる。
【００３０】
また、係止片５４ｂは、立上り片５２を延出せしめ、その両側をそれぞれ野縁受け４上面側に向けて折曲して形成すると共に、ボルト挿通溝５２１は、該立上り片５２に対してＵ字状に切欠き形成されているので、係止片５４ｂを形成するための自由度が確保され、例えば立上り片５２を延出させなくとも、ナット側取付金具５ａの立上り片５２の両側部をＬ字状に切欠きして、その対向位置に立上り片５２の両側を折曲してこのＬ字状切欠端部に係止するように形成することができ、ナット側取付金具５ａの立上り片５２に対し、上端と両側端の２面での係止係合が可能となり、その傾動規制機能を分担した状態で組付け剛性強度を高めることができる。
【００３１】
また、立上り片５２、５２同士は、野縁受け４に対向離間させた状態でセットされ、締結ボルト６１の締め付け操作で、係止片５４をナット側取付金具５ａの立上り片５２の上端に摺接させながら、互いに対面当接するよう構成されているので、両者の傾斜面部５１ａ、５１ａが野縁受け４の角部に押圧（圧接）されながら上動して対面当接することで、ボルト挿通溝５２１の底部と締結ボルト６１とが密着しその上動が規制され、かつ、係止片５４、５４の下面域の基端側が立上り片５２の上端に密着係止することができる。
【００３２】
また、野縁受け取付け部５３は、立上り片５２から垂下部５１ｂ側に向けて逆台形状に形成すると共に、その両側を折曲せしめて補強片５１ｃを形成してあるので、特に、野縁受け４の開口側に配設された野縁取付金具５が、地震等の揺れにより上下方向に振動を受けた際に、野縁受け４の上面と下面が圧縮するような付加荷重を受けても、野縁受け取付け部５３のねじれや湾曲変形に対する剛性強度を高めることができる。
【符号の説明】
【００３３】
１      天井部
２      吊り部材
２１    吊りボルト
２２    ハンガー
３      躯体天井部
４      野縁受け
４１    野縁受け固定金具
５      野縁取付金具
５ａ    ナット側取付金具
５ｂ    セット側取付金具
５１    野縁受け取付け部
５１ａ  傾斜面部
５１ｂ  垂下部
５１ｃ  補強片
５１ｄ  ビス孔
５２    立上り片
５２１  ボルト挿通溝
５３    野縁支持受け部
５３ａ  野縁係止片
５４    係止片
５４ａ  係止片
５４ｂ  係止片
６      ナット部
６１    締結ボルト
７      野縁
７１    字状溝
８      天井パネル
【要約】
【課題】
一組の野縁取付金具５をその立上り片５２、５２同士をボルト止めにより組付けセットされた状態で出荷されたものを、現場での取付け作業時に締結ボルト６１を取り外すことなく、その緊締操作で両者の組み外しと組付け作業が行え、作業時間の大幅な短縮と、作業効率の向上を図ると共に、係止片５４を、ナット側取付金具５ａの立上り片５２に対して傾動規制する組付け補強片として機能し、組付け剛性強度が高め、その耐震強度性能を向上する。
【解決手段】
組となる野縁取付金具５、５の一方の立上り片５２に締結ボルト６１を螺入しておき、他方の立上り片５２に、ボルト挿通溝５２１切欠き形成すると共に、立上り片５２、５２同士を当接固定した際に、一方の立上り片５２に係止されるよう折曲させた係止片５４を形成する。
【選択図】        図６【図１】
0005825500.tif 000002
【図２】
0005825500.tif 000003
【図３】
0005825500.tif 000004
【図４】
0005825500.tif 000005
【図５】
0005825500.tif 000006
【図６】
0005825500.tif 000007
【図７】
0005825500.tif 000008
【図８】
0005825500.tif 000009